【手続補正書】
【提出日】平成25年7月25日(2013.7.25)
【手続補正１】
【補正対象書類名】明細書
【補正対象項目名】００１３
【補正方法】変更
【補正の内容】
【００１３】
上記目的を達成するために、本発明の情報処理装置は、情報処理装置であって、画像形成装置が有する表示部の機能を示す表示能力情報を受信する第１の受信手段と、前記第１の受信手段により受信した表示能力情報に基づいて、拡張機能を設定するための画面情報を生成する生成手段と、前記生成手段により生成された情報に基づいて前記画像形成装置に表示された拡張機能設定画面から入力された拡張設定情報を、前記画像形成装置から受信する第２の受信手段と、前記画像形成装置から受信した印刷データに対して、前記第２の受信手段によって受信された前記拡張設定情報の内容に基づいて、画像処理を行う画像処理手段と、前記画像処理手段によって画像処理された印刷データを前記画像形成装置に送信する送信手段と、を有することを特徴とする。
【手続補正２】
【補正対象書類名】明細書
【補正対象項目名】００１４
【補正方法】変更
【補正の内容】
【００１４】
上記目的を達成するために、本発明の画像形成装置は、画像形成装置であって、前記画像形成装置が有する表示部の機能を示す表示能力情報を保持する保持手段と、前記保持手段により保持されている表示能力情報を外部装置へ送信する第１の送信手段と、前記外部装置から、前記第１の送信手段により送信された表示能力情報に基づいて生成された画面情報であって、拡張機能を設定するための画面情報を受信する受信手段と、前記受信手段によって受信された画面情報に基づいて拡張機能を設定するための拡張機能設定画面を表示する表示手段と、前記表示手段に表示された画面から入力された拡張設定の内容を示す拡張設定情報と、印刷データとを前記外部装置に送信する第２の送信手段と、前記第２の送信手段によって送信された印刷データに対して前記外部装置において前記拡張設定情報の内容に基づいて画像処理された印刷データを受信し、前記印刷データを用いて画像形成を行う画像形成手段と、を有することを特徴とする。
【手続補正３】
【補正対象書類名】明細書
【補正対象項目名】００１５
【補正方法】変更
【補正の内容】
【００１５】
上記目的を達成するために、本発明の情報処理装置の制御方法は、情報処理装置の制御方法であって、画像形成装置が有する表示部の機能を示す表示能力情報を受信する第１の受信工程と、前記第１の受信工程において受信された表示能力情報に基づいて、拡張機能を設定するための画面情報を生成する生成工程と、前記生成工程において生成された情報に基づいて前記画像形成装置に表示された拡張機能設定画面から入力された拡張設定情報を、前記画像形成装置から受信する第２の受信工程と、前記画像形成装置から受信した印刷データに対して、前記第２の受信工程において受信された前記拡張設定情報の内容に基づいて、画像処理を行う画像処理工程と、前記画像処理工程において画像処理された印刷データを前記画像形成装置に送信する送信工程と、を有することを特徴とする。
【手続補正４】
【補正対象書類名】明細書
【補正対象項目名】００１６
【補正方法】変更
【補正の内容】
【００１６】
上記目的を達成するために、本発明の画像形成装置の制御方法は、画像形成装置の制御方法であって、前記画像形成装置が有する表示部の機能を示す表示能力情報を外部装置へ送信する第１の送信工程と、前記外部装置から、前記第１の送信工程において送信された表示能力情報に基づいて生成された画面情報であって、拡張機能を設定するための画面情報を受信する受信工程と、前記受信工程において受信された画面情報に基づいて拡張機能を設定するための拡張機能設定画面を表示する表示工程と、前記表示工程において表示された画面から入力された拡張設定の内容を示す拡張設定情報と、印刷データとを前記外部装置に送信する第２の送信工程と、前記第２の送信工程において送信された印刷データに対して前記外部装置において前記拡張設定情報の内容に基づいて画像処理された印刷データを受信し、前記印刷データを用いて画像形成を行う画像形成工程と、を有することを特徴とする。
【手続補正５】
【補正対象書類名】特許請求の範囲
【補正対象項目名】全文
【補正方法】変更
【補正の内容】
【特許請求の範囲】
【請求項１】
情報処理装置であって、
画像形成装置が有する表示部の機能を示す表示能力情報を受信する第１の受信手段と、
前記第１の受信手段により受信した表示能力情報に基づいて、拡張機能を設定するための画面情報を生成する生成手段と、
前記生成手段により生成された情報に基づいて前記画像形成装置に表示された拡張機能設定画面から入力された拡張設定情報を、前記画像形成装置から受信する第２の受信手段と、
前記画像形成装置から受信した印刷データに対して、前記第２の受信手段によって受信された前記拡張設定情報の内容に基づいて、画像処理を行う画像処理手段と、
前記画像処理手段によって画像処理された印刷データを前記画像形成装置に送信する送信手段と、
を有することを特徴とする情報処理装置。
【請求項２】
前記生成手段は、前記画像形成装置の表示能力情報及び処理機能能力情報に基づいて、表示項目を選択し且つ設定項目を決定し、前記表示項目及び設定項目を機能画面単位で変換し、前記画像形成装置の種別に適応した画面情報を生成することを特徴とする請求項１記載の情報処理装置。
【請求項３】
前記画像形成装置がＷＥＢブラウザ機能を有すると判定した場合に、ＨＴＭＬプロトコルでアクセスが可能なようにＷＥＢサーバーを構成し、前記ＷＥＢサーバーで利用する情報をＨＴＭＬファイルに変換し、前記ＨＴＭＬファイルを、ＨＴＴＰプロトコルに基づいて前記画像形成装置に送信し、
前記情報処理装置へのアクセスがＨＴＴＰプロトコルでのアクセスではないと判定した場合に、前記画像形成装置の能力情報に基づいて変換処理のルールを特定して情報を変換し、変換結果をファイル型式にしてファイルをアクセスする際に参照されるフォルダに格納し、ＦＴＰプロトコルでアクセスが可能なように設定することを特徴とする請求項１又は２記載の情報処理装置。
【請求項４】
前記表示能力情報は、表示可能な形式、ドット数、キャラクタ数、カラー表示又は白黒表示の種別、の少なくとも一つを含むことを特徴とする請求項１から３のいずれか１項に記載の情報処理装置。
【請求項５】
画像形成装置であって、
前記画像形成装置が有する表示部の機能を示す表示能力情報を保持する保持手段と、
前記保持手段により保持されている表示能力情報を外部装置へ送信する第１の送信手段と、
前記外部装置から、前記第１の送信手段により送信された表示能力情報に基づいて生成された画面情報であって、拡張機能を設定するための画面情報を受信する受信手段と、
前記受信手段によって受信された画面情報に基づいて拡張機能を設定するための拡張機能設定画面を表示する表示手段と、
前記表示手段に表示された画面から入力された拡張設定の内容を示す拡張設定情報と、印刷データとを前記外部装置に送信する第２の送信手段と、
前記第２の送信手段によって送信された印刷データに対して前記外部装置において前記拡張設定情報の内容に基づいて画像処理された印刷データを受信し、前記印刷データを用いて画像形成を行う画像形成手段と、
を有することを特徴とする画像形成装置。
【請求項６】
情報処理装置の制御方法であって、
画像形成装置が有する表示部の機能を示す表示能力情報を受信する第１の受信工程と、
前記第１の受信工程において受信された表示能力情報に基づいて、拡張機能を設定するための画面情報を生成する生成工程と、
前記生成工程において生成された情報に基づいて前記画像形成装置に表示された拡張機能設定画面から入力された拡張設定情報を、前記画像形成装置から受信する第２の受信工程と、
前記画像形成装置から受信した印刷データに対して、前記第２の受信工程において受信された前記拡張設定情報の内容に基づいて、画像処理を行う画像処理工程と、
前記画像処理工程において画像処理された印刷データを前記画像形成装置に送信する送信工程と、
を有することを特徴とする情報処理装置の制御方法。
【請求項７】
画像形成装置の制御方法であって、
前記画像形成装置が有する表示部の機能を示す表示能力情報を外部装置へ送信する第１の送信工程と、
前記外部装置から、前記第１の送信工程において送信された表示能力情報に基づいて生成された画面情報であって、拡張機能を設定するための画面情報を受信する受信工程と、
前記受信工程において受信された画面情報に基づいて拡張機能を設定するための拡張機能設定画面を表示する表示工程と、
前記表示工程において表示された画面から入力された拡張設定の内容を示す拡張設定情報と、印刷データとを前記外部装置に送信する第２の送信工程と、
前記第２の送信工程において送信された印刷データに対して前記外部装置において前記拡張設定情報の内容に基づいて画像処理された印刷データを受信し、前記印刷データを用いて画像形成を行う画像形成工程と、
を有することを特徴とする画像形成装置の制御方法。
【請求項８】
請求項６又は７記載の制御方法をコンピュータに実行させるためのコンピュータプログラム。